(57)【要約】  【目的】外乱による物理的振動に対して光ピックアップ部を保護して、信頼性を向上させたディスク再生装置を提供する。  【構成】ディスク再生装置６は、ディスクの非再生時に、光ピックアップ部８のフォーカスコイル及び／又はトラッキングコイル１の両端子に接続されたドライバー回路２の出力段の出力トランジスタＱ１とＱ３のみをＯＮ、又はＱ２とＱ４のみをＯＮさせるように、システムコントローラ等からの制御信号ＳＢ１〜ＳＢ４でＯＮ／ＯＦＦ制御してフォーカスコイル及び／又はトラッキングコイル１を電気回路的にショート状態にし、物理的振動に起因してコイル自身の電磁誘導によって生起される逆起電力でコイルに制動力を掛け、光ピックアップ部８の振動を抑制する構成。【選択図】  図３
2005149537.tif 000002
【特許請求の範囲】
【請求項１】
ディスク再生装置において、
デジタル記録媒体のディスクを起動させていない時に、光ピックアップ部のフォーカスコイル及び／又はトラッキングコイルの両端子をショート状態にする機械的ショート手段を備えて、前記光ピックアップ部の受ける物理的振動によって前記フォーカスコイル及び／又はトラッキングコイルに発生する電磁誘導の逆起電力で前記光ピックアップ部の受ける物理的振動に対して制動力を発生させる振動抑制手段を備えることを特徴とするディスク再生装置。
【請求項２】
ディスク再生装置において、
デジタル記録媒体のディスクを起動させていない時に、光ピックアップ部のフォーカスコイル及び／又はトラッキングコイルの両端子をショート状態にする電気的ショート手段を備えて、前記光ピックアップ部の受ける物理的振動によって前記フォーカスコイル及び／又はトラッキングコイルに発生する電磁誘導の逆起電力で前記光ピックアップ部の受ける物理的振動に対して制動力を発生させる振動抑制手段を備えることを特徴とするディスク再生装置。
【発明の詳細な説明】
【技術分野】
【０００１】
本発明は、ＭＤ、ＣＤ、ＣＤ−Ｒ、ＣＤ−ＲＷ、ＤＶＤ、ＤＶＤ−ＲＡＭ等のディスク再生装置における光ピックアップ部を外乱による物理的振動から保護するための保護手段に関する。
【背景技術】
【０００２】
車載用のディスク再生装置はホーム用と異なり、ディスクを起動させていない非再生時でも車が走っている間中、常に相当激しい物理的振動を受けている。
【０００３】
この点、車載用オーディオ機器のディスク再生装置に搭載している再生ユニットは、ディスクの起動中（再生中）は光ピックアップ部の位置制御をトラッキングサーボ、フォーカスサーボ等によって行っており、外乱による物理的振動からの光ピックアップ部の保護は問題ないが、ディスクを起動していない時（非再生時）は、光ピックアップ部をディスクの内周側の端に移動させた状態に保持するか或いは再生停止位置に静止したままの状態で保持されていることが多い。
【０００４】
このため、車載用のディスク再生装置に長期にわたり外乱（車の走行等）による物理的振動が加わり続けると、その光ピックアップ部に金属疲労による断線が発生する場合がある。
【０００５】
このような車載用オーディオ機器の物理的振動に対する信頼性向上のため、自動車製造メーカーの要求する振動に対する信頼性試験の規格が益々厳しくなり、現在使用しているディスク再生装置の光ピックアップ部では規格に耐えられなくなりつつあるのが現状である。
【０００６】
現行の振動対策の一つとして、光ピックアップ部のレンズを支えるバネを太くして振動に耐えられるようにすることが採用されているが、この対策は制御にエネルギーを要し、ディスクの性能を出すのに大きなエネルギーが必要であって設計が難しいという難点がある。
【０００７】
また、他の振動対策として、前記光ピックアップ部のレンズを支えるバネの支点の構造を工夫して、可及的に金属疲労が発生しないようにする対策もあるが、十分な改善効果は得られていない。
【０００８】
なお、下記［特許文献１］には、光ピックアップ部におけるアクチュエータ部の全体形状の薄型化と軽量化が図れると共に、フォーカスコイルやトラッキングコイル（以下、駆動コイルとも総称する。）の温度上昇やアクチュエータ部の支持のための部材に変形が生じて製品寿命を縮めてしまったり、加速度検出手段等の複雑な構成を必要とすることのない光ピックアップ部の衝突防止装置を提供するという課題について、図４のような構成の「光ピックアップ部の衝突防止装置」の技術が開示されている。
【０００９】
即ち、図４において、ディスクＤを起動再生中に駆動される光ピックアップ部８は、その基盤にマグネット部１１が固定され、その磁気形成部の内部にアクチュエータ部９が配設されている。このアクチュエータ部９は、支持部１２に片持ち支持された可撓支持部１３を介して保持され、中央部にレンズ１０が取り付けられ、周囲に駆動コイル９ａが設けられている。このような光ピックアップ部８に接続される回路として、従来のフォーカスサーボ制御回路に対して「検出手段」と、新たな「制御手段」を追加して制御回路部ａを構成している。そして、上記アクチュエータ部９が再生駆動されていない場合に、外部振動等による外乱によってアクチュエータ部９が駆動されたときにアクチュエータ部９に生じる逆起信号を検出する「検出手段」と、前記「検出手段」によって検出される外乱成分を打ち消すようにアクチュエータ部９に対して制御信号を供給する「制御手段」とを具備する。
【００１０】
【特許文献１】特開２００２−１５４４５号公報
【発明の開示】
【発明が解決しようとする課題】
【００１１】
しかしながら、上記［特許文献１］に記載されている従来のフォーカスサーボ制御回路に対してアクチュエータ部９に生じる逆起信号を検出する「検出手段」と、前記「検出手段」によって検出される外乱成分を打ち消すようにアクチュエータ部９に対して制御信号を供給する新たな「制御手段」を追加した制御回路部ａは、振動抑制効果としては大きいものの、Ａ／Ｄ変換部１６、アナログ処理部１５、補間処理部１８、波形演算部１９、Ｄ／Ａ変換部２０等を必要として回路構成が複雑になり、制御自体も複雑になっている。結果として、アクチュエータ部９は従来のままであっても、その外乱による物理的振動を検出し制御する手段は新たに追加される複雑なものであり、コスト上昇は避けられない。
【００１２】
加えて、制御動作させることによって発生するパルスノイズがラジオチューナー回路に飛び込み、ラジオ性能が落ちるという新たな問題が発生することになりかねない。
【００１３】
また、現在はアクチュエータ部９の振動対策は他の方策が為されており、さほど問題にはなっていない状況にある。
【００１４】
本発明は上記事情に鑑みてなされたものであり、極めて簡単な構成でありながら、ディスク再生装置の光ピックアップ部に対してディスクを起動していない時（非再生時）に効果的に物理的振動を抑制して保護する振動抑制手段を備えることにより光ピックアップ部の金属疲労による断線を防止して信頼性を向上させたディスク再生装置を提供することを目的とする。
【課題を解決するための手段】
【００１５】
本発明は、
（１）ディスク再生装置において、デジタル記録媒体のディスクを起動させていない時に、光ピックアップ部のフォーカスコイル及び／又はトラッキングコイルの両端子をショート状態にする機械的ショート手段を備えて、前記光ピックアップ部の受ける物理的振動によって前記フォーカスコイル及び／又はトラッキングコイルに発生する電磁誘導の逆起電力で前記光ピックアップ部の受ける物理的振動に対して制動力を発生させる振動抑制手段を備えることを特徴とするディスク再生装置を提供することにより、上記課題を達成する。
（２）ディスク再生装置において、デジタル記録媒体のディスクを起動させていない時に、光ピックアップ部のフォーカスコイル及び／又はトラッキングコイルをショート状態にする電気的ショート手段を備えて、前記光ピックアップ部の受ける物理的振動によって前記フォーカスコイル及び／又はトラッキングコイルに発生する電磁誘導の逆起電力で前記光ピックアップ部の受ける物理的振動に対して制動力を発生させる振動抑制手段を備えることを特徴とするディスク再生装置を提供することにより、ディスクを再生していないとき、上記課題を達成する。
【発明の効果】
【００１６】
本発明に係るディスク再生装置は、上記のようにディスクを起動させていない時に、光ピックアップ部のフォーカスコイルやトラッキングコイルの機械的ショート手段又は電気的ショート手段によってコイル自身に生成される電磁誘導の逆起電力による振動抑制手段を備えているため、光ピックアップ部の設計変更無しに、且つ極めて簡単な構成で、光ピックアップ部の物理的振動による金属疲労が原因の断線を防止でき、信頼性が向上するという優れた効果を有する。
【００１７】
特に、車載用ディスク再生装置に対しては、振動抑制することによる信頼性の向上に顕著な効果が得られる。
【発明を実施するための最良の形態】
【００１８】
本発明に係るディスク再生装置の実施の形態について図面に基づいて説明する。
【００１９】
図１は本発明に係るディスク再生装置の第１の実施の形態を説明するための回路図であり、図２は第１の実施の形態を説明するためのディスク再生装置の内部の平面図である。図３は本発明に係るディスク再生装置の第２の実施の形態を説明するための回路図である。
【００２０】
本発明の最大の特長は、ＣＤ等のディスクを起動させていない時（非再生時）に、光ピックアップ部の駆動コイルであるフォーカスコイル又はトラッキングコイルの少なくとも一つ、好ましくは両方のコイルの両端子を夫れ夫れショート又はショートと同等の状態（合わせてショート状態と言う。）にし、外乱による物理的振動に伴う当該コイル自身に電磁誘導で生起される逆起電力で振動方向に対して常に逆方向に制動力を発生させて光ピックアップ部の振動に対してブレーキを掛けるように構成されている点である。以下、光ピックアップ部の駆動コイルに関する回路以外の点は従来のディスク再生装置と同様なので、専ら本発明に関係するフォーカスコイル及び／又はトラッキングコイルをショート状態にする手段について説明する。
【００２１】
上記フォーカスコイル及び／又はトラッキングコイルをショート状態にする手段としては、機械的ショート手段と電気的ショート手段が挙げられる。
（機械的ショート手段の実施の形態例）
図１又は図２において、ディスク再生装置７は、デジタル記録媒体のディスク、例えばコンパクトディスク（ＣＤ）を起動させていない非再生時に、光ピックアップ部８のフォーカスコイル及び／又はトラッキングコイル１の両端子間に挿入されたスイッチＳＷ１をＯＮにしてショート状態にする機械的ショート手段を備えて、前記光ピックアップ部８の受ける物理的振動によって前記フォーカスコイル及び／又はトラッキングコイル１に発生する電磁誘導の逆起電力で前記光ピックアップ部８の受ける物理的振動に対して、その振動方向と反対の方向へのブレーキ（制動力）を発生させる振動抑制手段を備える構成である。
【００２２】
前記スイッチＳＷ１をＯＦＦからＯＮにしてショート状態にする機械的ショート手段の機構は、例えば、図２に示されるように、再生状態から非再生状態に移行する時の光ピックアップ部８のディスクの内周側への移動時に、トグルスイッチ等のスイッチＳＷ１に光ピックアップの一部（スイッチ接触部）８ａを接触させることで機械的にスイッチＳＷ１をＯＮさせることができ、ディスクを起動させて光ピックアップ部８が離れることでスイッチＳＷ１をＯＦＦさせることが実現できる。なお、図２のディスク再生装置７における符号４はピックアップ部８の送りギア、符号３はピックアップ部送りモータであり、図１の符号２は光ピックアップ部８のドライバー回路である。
（電気的ショート手段の実施の形態例）
図３において、ディスク再生装置６は、非再生時に、光ピックアップ部８のフォーカスコイル及び／又はトラッキングコイル１を電気的にショートさせる手段として、破線枠内のドライバー回路２の出力段のブリッジ回路で構成される出力トランジスタ（パワーＭＯＳＦＥＴ等）Ｑ１〜Ｑ４のＯＮ／ＯＦＦを制御するものである。
【００２３】
即ち、フォーカスコイル又はトラッキングコイル１の両端子に接続された出力トランジスタＱ１とＱ３のみをＯＮ、又はＱ２とＱ４のみをＯＮさせるように、ディスクの非再生状態で図示されないシステムコントローラ等からの制御信号ＳＢ１〜ＳＢ４でＯＮ／ＯＦＦ制御させ、当該コイル１を電気回路的にショート状態にし、コイル１の物理的振動に起因してコイル自身の電磁誘導によって生起される逆起電力で該コイル１に制動を掛けるのである。
【００２４】
上記電気的なショート手段は、光ピックアップ部８のドライバー回路を制御する前記システムコントローラのプログラムの追加のみでソフト的に容易に実現されるので、スイッチＳＷ１の追加を要する機械的ショート手段に比してコスト的に有利である。また、光ピックアップ部８の停止位置に拘わらず制動が掛かるので汎用性に富むという利点がある。
【００２５】
以上のように、本発明のディスク再生装置は、ＣＤ等のディスクの未使用時に、光ピックアップ部のフォーカスコイルやトラッキングコイルの各両端子をショート又はショートと同等の状態にし、外乱による物理的振動によってコイル自身に生起される逆起電力を利用して物理的振動にブレーキを掛け、光ピックアップ部を物理的振動から保護しているので、光ピックアップ部の金属疲労が低減されるのである。
【００２６】
なお、念のために付言すれば、以上の実施の形態の説明は走行中に激しい物理的振動を受ける車載用ＣＤ再生装置を念頭になされたが、ＣＤ以外のディスク再生装置も本発明の射程内であり、また、本発明の外乱による物理的振動に対する光ピックアップ部の振動抑制手段は、非再生時の移動時に少なからず物理的振動を受ける携帯用のディスク再生装置においても有効であることは言うまでもない。
【図面の簡単な説明】
【００２７】
【図１】本発明に係るディスク再生装置の第１の実施の形態を説明するための回路図である。
【図２】第１の実施の形態を説明するためのディスク再生装置の内部の平面図である。
【図３】本発明に係るディスク再生装置の第２の実施の形態を説明するための回路図である。
【図４】公知技術である光ピックアップ部の衝突防止装置を説明するための回路図である。
【符号の説明】
【００２８】
１    フォーカスコイル及び／又はトラッキングコイル
２    ドライバー回路
３    ピックアップ部送りモータ
４    ピックアップ部の送りギア
６、７    ディスク再生装置
８    光ピックアップ部
８ａ  光ピックアップの一部（スイッチ接触部）
ＳＷ１    スイッチ
Ｑ１、Ｑ２、Ｑ３、Ｑ４    出力トランジスタ
ＳＢ１〜ＳＢ４    制御信号
【図１】
2005149537.tif 000003
【図２】
2005149537.tif 000004
【図３】
2005149537.tif 000005
【図４】
2005149537.tif 000006